(57)【要約】【課題】  目視で確認しながら爪を移動台に載せることができ、装置内における描画領域に爪を正確に位置決め可能な描画装置を提供する。【解決手段】  描画装置は、挿入口２３ａから指１２が挿入される指挿入部２３と、指挿入部２３内に配置され、挿入口２３ａ側の第一配置部に向けて付勢されており、挿入口２３ａに挿入された指１２を付勢に抗して押すことにより、指１２を第一配置部から第二配置部に移動可能である移動台６１と、を備える。【選択図】  図４
2020168432.tif 000002
【特許請求の範囲】
【請求項１】
挿入口から指が挿入される指挿入部と、
前記指挿入部内に配置され、前記挿入口側の第一配置部に向けて付勢されており、前記挿入口に挿入された指を前記付勢に抗して押すことにより、前記指を前記第一配置部から第二配置部に移動可能である移動台と、
前記移動台が前記第一配置部から前記第二配置部まで移動するときに、前記移動台の移動をガイドするガイド部と、
前記移動台に設けられ、前記ガイド部に内側から嵌合される嵌合部と、
前記指挿入部の下側に配置され、流体を供給することで挿入した指と前記移動台とを上方に押し上げ、供給した前記流体を排出すると前記押し上げを解除する膨縮部材と、を備え、
前記膨縮部材に前記流体が供給されることで、前記第一配置部から前記第二配置部までの移動方向とは異なる方向に、前記移動台を前記第二配置部から第三配置部に移動させ、前記嵌合部が前記ガイド部に設けられた係止部に係止されることを特徴とする描画装置。
【請求項２】
前記移動台の上面に前記指の爪を配置することを特徴とする請求項１に記載の描画装置。
【請求項３】
前記移動台とともに移動可能に設けられ、前記移動台の上下方向の移動をガイドする上下方向ガイド部材を備えることを特徴とする請求項１又は請求項２に記載の描画装置。
【請求項４】
前記ガイド部は、前記移動台が前記第一配置部に位置するときよりも前記第二配置部に位置するときの方が、前記移動台の位置が上方に位置するようにガイドすることを特徴とする請求項１から請求項３のいずれか１項に記載の描画装置。
【請求項５】
前記膨縮部材は、前記移動台が前記第二配置部に位置するときに前記流体が供給されると前記移動台を上昇させるとともに挿入した前記指を前記指挿入部の上面に押圧して前記指の動きを抑制することを特徴とする請求項１から請求項４のいずれか１項に記載の描画装置。
【請求項６】
前記移動台が前記第一配置部に位置するとき、前記移動台が前記挿入口を塞いでいることを特徴とする請求項１から請求項５のいずれか１項に記載の描画装置。
【発明の詳細な説明】
【技術分野】
【０００１】
本発明は、描画装置に関する。
【背景技術】
【０００２】
従来、指の爪にネイルデザインを描画する描画装置において、各種の技術が提案されている（例えば、特許文献１参照）。
【０００３】
特許文献１には、指挿入口と、この指挿入口の奥に設けられるストッパーとを備えるネイルアート装置が開示される。このネイルアート装置では、使用者は、デザインを描画する爪の指を指挿入口に挿入し、指先又は爪先をストッパーに当接させることにより、装置の内部における爪の位置決めを行う。
【先行技術文献】
【特許文献】
【０００４】
【特許文献１】特開２０００−１９４８３８号公報
【発明の概要】
【発明が解決しようとする課題】
【０００５】
しかしながら、特許文献１のネイルアート装置においては、使用者は、指挿入口の奥において指先や爪が見えない状態で、指先又は爪先をストッパーに当接させなくてはならず、爪の位置決めが行いにくいという問題があった。
【０００６】
本発明は、上記のような事情に鑑みなされたものであり、目視で確認しながら爪を移動台上面に載せることができ、装置内における描画領域に爪を正確に位置決め可能な描画装置を提供することを目的とする。
【課題を解決するための手段】
【０００７】
本発明は、以下の構成によって把握される。
本発明の描画装置は、挿入口から指が挿入される指挿入部と、前記指挿入部内に配置され、前記挿入口側の第一配置部に向けて付勢されており、前記挿入口に挿入された指を前記付勢に抗して押すことにより、前記指を前記第一配置部から第二配置部に移動可能である移動台と、前記移動台が前記第一配置部から前記第二配置部まで移動するときに、前記移動台の移動をガイドするガイド部と、前記移動台に設けられ、前記ガイド部に内側から嵌合される嵌合部と、前記指挿入部の下側に配置され、流体を供給することで挿入した指と前記移動台とを上方に押し上げ、供給した前記流体を排出すると前記押し上げを解除する膨縮部材と、を備え、前記膨縮部材に前記流体が供給されることで、前記第一配置部から前記第二配置部までの移動方向とは異なる方向に、前記移動台を前記第二配置部から第三配置部に移動させ、前記嵌合部が前記ガイド部に設けられた係止部に係止されることを特徴とする。
【発明の効果】
【０００８】
本発明によれば、目視で確認しながら爪を移動台の上面に載せることができ、装置内における描画領域に爪を正確に位置決め可能な描画装置を提供することができる。
【図面の簡単な説明】
【０００９】
【図１】本発明の実施形態に係る描画装置の外観を示す斜視図である。
【図２】図１において筐体をＡ−Ａ線で切断してみた図である。
【図３】実施形態に係る指保持ケースの斜視図である。
【図４】実施形態に係る指保持ケース及びその内部構造の斜視図である。
【図５】（ａ）は移動台が下方に移動した状態の移動台及び上下方向ガイド部材の斜視図、（ｂ）は移動台が上方に移動した状態の移動台及び上下方向ガイド部材の斜視図である。
【図６】実施形態に係る移動台を指挿入方向奥側に移動させた状態における指保持ケース及びその内部構造の平面図である。
【図７】実施形態に係る移動台を指挿入方向奥側に移動させた状態における指保持ケース及びその内部構造の斜視図であり、指を想像線で示した図である。
【図８】実施形態に係る移動台及び爪の動作を説明する図である。
【図９】実施形態に係る移動台を指挿入方向奥側に移動させた状態における指保持ケース及びその内部構造の斜視図であり、指を実線で示した図である。
【発明を実施するための形態】
【００１０】
以下、添付図面を参照して、本発明を実施するための形態（以下、「実施形態」と称する）について詳細に説明する。なお、実施形態の説明の全体を通して同じ要素には同じ番号を付している。
【００１１】
また、以下の実施形態では、描画装置は手の指の爪の表面を描画対象面として、これに描画するものとして説明するが、本発明の描画対象面は手の指の爪の表面に限るものではなく、例えば足の指の爪の表面を描画対象面としてもよい。
【００１２】
図１に示すように、描画装置１０は、描画機能を備え、人の指１２の爪１１にネイルデザインを施す装置である。描画装置１０は、箱状の筐体２０を備え、この筐体２０の上面（天板）には、表示部２１や操作部２２が設けられる。また、筐体２０の正面部２０ａの下部中央には、第１指挿入部２３の挿入口２３ａが開口しており、さらに、この第１指挿入部２３の下側には、第２指挿入部２５の挿入口２５ａが開口している。この第２指挿入部２５は、筐体２０の正面部２０ａから奥側に向けて形成されるとともに、１つの手の描画する指１２以外の指が挿入される空間であって、筐体２０の内部空間に対し仕切られた（連通していない）空間である。
【００１３】
図２に示すように、筐体２０内の下部には、指載置台２６が設けられ、指載置台２６の上面には、指保持ケース３０が設けられる。指保持ケース３０の内部空間は、第１指挿入部２３を形成するための空間である。
【００１４】
筐体２０内には、固定板１７が装置幅方向及び装置奥行き方向に移動可能に設けられる。この固定板１７の左右一側（この例では左側）には、ペンプロッター部１３及びインクジェット部１５を有する描画部１４が固定され、左右他側（この例では右側）には、温風により爪１１に塗布されたインクを乾燥させるドライヤー５０が固定される。さらに、描画部１４とドライヤー５０の間には、爪１１の位置や形状を認識するための画像取得部１６が設けられる。なお、図２では、ペンプロッター部１３を指保持ケース３０の開口部３２（後述）の直上に移動させたときの装置の内部を示している。
【００１５】
ペンプロッター部１３は、爪１１に描画を施すペン１３ａを備え、装置幅方向及び装置奥行き方向に固定板１７と一体的に移動可能であり、かつ、ステッピングモータ等の駆動手段１３ｂにより昇降可能である。ペンプロッター部１３は、指保持ケース３０の開口部３２の直上に移動した後、爪１１の表面に接するように下降させたペン１３ａのペン先で、爪１１の表面に例えば下地を描画する。
【００１６】
インクジェット部１５は、インクジェットヘッド１５ａと、インクジェットカートリッジ１５ｂとを備え、爪１１に対してインクジェットヘッド１５ａによるネイルデザインの印刷を行う。インクジェット部１５は、装置幅方向及び装置奥行き方向に固定板１７と一体的に移動可能であり、指保持ケース３０の開口部３２の直上に移動し、爪１１の表面にインクジェットヘッド１５ａで所望のデザインを施す。
【００１７】
図３に示すように、指保持ケース３０は、指載置台２６（図２参照）に取り付けられる左右一対の取付け部３３を有する。また、指保持ケース３０は、これら左右の取付け部３３のそれぞれから上方に立設される左右一対の側壁３６と、指挿入方向手前側（以下、単に「手前側」と称する）において左右の側壁３６の上端部を連結する上壁３７と、左右の側壁３６の指挿入方向奥側（以下、単に「奥側」と称する）の端部を連結する奥壁３８と、を有する。また、指保持ケース３０の奥側の上部には、挿入された指１２の爪１１を上方に露出させる開口部３２が形成される。
【００１８】
各側壁３６の手前側の端部には、引張コイルばね６２（後述）の一端を掛け止めるためのケース側フック３６ａが側方に突出するように形成される。また、各側壁３６には、その手前側の端部（第一配置部（図３において符号Ｐ１で示す位置））近傍から奥側の端部（第三配置部（図３において符号Ｐ３で示す位置））近傍にかけて延在する指挿入方向ガイド部４３が設けられる。
【００１９】
各指挿入方向ガイド部４３は、移動台６１（後述）を指挿入方向にガイドする部分であり、側壁３６をその厚み方向に貫通する溝で形成される。指挿入方向ガイド部４３は、第１ガイド部４３ａ、第２ガイド部４３ｂ及び第３ガイド部４３ｃを有する。第１ガイド部４３ａは、指挿入方向において、側壁３６の手前側の端部から開口部３２の手前側の端部３２ａ又はその付近まで水平方向（上壁３７と平行）に延びる。第２ガイド部４３ｂは、第１ガイド部４３ａの奥側の端部からさらに奥側に向けて斜め上方に（開口部３２に徐々に近づくように）所定の傾斜角をもって延びる。第３ガイド部４３ｃは、第２ガイド部４３ｂの奥側の端部からさらに奥側に向けて奥壁３８の近傍まで水平方向（上壁３７と平行）に形成される。そして、第３ガイド部４３ｃには、上方に凹むように形成される係止凹部４３ｄが設けられる。
【００２０】
図４に示すように、指保持ケース３０には、第１指挿入部２３に配置されるとともに指挿入方向に沿って移動可能な移動台６１と、この移動台６１を付勢する引張コイルばね６２と、移動台６１とともに指挿入方向に沿って移動可能な上下方向ガイド部材６３と、第１指挿入部２３の下側に配置される膨縮部材６５と、が設けられている。
【００２１】
図５（ａ）及び（ｂ）に示すように、上下方向ガイド部材６３は、指挿入方向に沿って移動する移動台６１の上下方向の移動をガイドする部材であり、横断面が円弧状の円弧状板部６３ａと、この円弧状板部６３ａの左右両端から側方に延出される左右の側板部６３ｂとを有する。
【００２２】
移動台６１は、直方体状に形成される部材で構成される。移動台６１の左右の側面のそれぞれには、指挿入方向ガイド部４３（図４参照）に内側から嵌合される突出部６１ａが形成される。各突出部６１ａは、指挿入方向ガイド部４３（図４参照）の延在方向に沿って長い形状に形成されており、これにより、指挿入方向ガイド部４３（図４参照）における突出部６１ａの回転が防止されている。また、各突出部６１ａの側面には、引張コイルばね６２の他端を掛け止めるための台側フック６１ｂが側方に突出するように形成される。
【００２３】
さらに、移動台６１には、移動台６１を上下方向に貫通する摺動穴６１ｃが形成される。この摺動穴６１ｃは、上下方向ガイド部材６３の横断面形状に対応した内形に形成される。そして、移動台６１の上面のうち、上下方向ガイド部材６３の円弧状板部６３ａよりも手前側には、爪１１の爪先部１１ａが載置される略半円状の爪置き面６１ｄが形成される。
【００２４】
移動台６１は、上下方向ガイド部材６３に対して最も低い位置（図５（ａ）参照）と、上下方向ガイド部材６３に対して最も高い位置（図５（ｂ）参照）との間において、その摺動穴６１ｃが上下方向ガイド部材６３に沿って摺動することにより、上下方向の移動が上下方向ガイド部材６３によってガイドされる。
【００２５】
図４に戻る。図４に示すように、上下方向ガイド部材６３により上下方向の移動がガイドされる移動台６１は、その指挿入方向の移動が、指挿入方向ガイド部４３（第１ガイド部４３ａ、第２ガイド部４３ｂ及び第３ガイド部４３ｃ）により、指保持ケース３０の手前側の開放部４２側（指挿入開始側）に位置するときよりも、奥側に位置するときの方が、上方に位置するようにガイドされる。
【００２６】
より具体的には、移動台６１は、指挿入方向において、突出部６１ａが第１ガイド部４３ａにガイドされている状態では、第１指挿入部２３内において最も下側に位置していて、爪置き面６１ｄに載置された爪１１は、上壁３７との間に隙間を有している。
【００２７】
また、突出部６１ａが第２ガイド部４３ｂにガイドされている状態では、移動台６１は、突出部６１ａが第１ガイド部４３ａにガイドされている状態よりも、上方に位置しており、かつ、第２ガイド部４３ｂの傾斜により奥側に位置するほど、より上方に位置する。この状態においても、爪置き面６１ｄに載置された爪１１は、上壁３７との間に隙間が確保されており、この隙間は、移動台６１が奥側に行くにしたがって徐々に小さくなる。
【００２８】
また、突出部６１ａが第３ガイド部４３ｃにガイドされているときは、移動台６１は、突出部６１ａが第２ガイド部４３ｂにガイドされるときよりも、さらに上方に位置する。このとき、爪置き面６１ｄに載置された爪１１は、平面視で開口部３２内に位置し（図６参照）、開口部３２よりも下方に位置する。
【００２９】
そして、突出部６１ａが第３ガイド部４３ｃの係止凹部４３ｄに下方から嵌合したときは、移動台６１は、第１指挿入部２３内において最も上方に位置する。このとき、爪置き面６１ｄに載置された爪１１は、開口部３２及び上壁３７と同じ高さ位置又は開口部３２よりも若干低い位置となる。なお、このように高さが変化する移動台６１のより詳しい動作については、後述する。
【００３０】
引張コイルばね６２は、移動台６１及び上下方向ガイド部材６３が指保持ケース３０に組み込まれた状態において、その一端がケース側フック３６ａに掛け止められ、他端が台側フック６１ｂに掛け止める。これにより、移動台６１は、指保持ケース３０の手前側の開放部４２側に常時付勢されている。
【００３１】
膨縮部材６５は、中空状に形成されるクッションであって、その下部には、流体給排部６６が設けられる。また、膨縮部材６５は、本体部６５ａと、移動台６１が指保持ケース３０の最も奥側に移動した状態において、本体部６５ａの奥側の端部から移動台６１の下側に延出される延出部６５ｂ（図６参照）とを備える。延出部６５ｂ（図６参照）は、例えば、円弧状板部６３ａに沿うように平面視で略半円状に形成される。
【００３２】
膨縮部材６５は、流体給排部６６を通じて、内部に流体が供給されると膨らみ、内部から流体が排出されると萎むように構成される。流体は、各種の気体、各種の液体から選択可能である。例えば、流体には、空気を好適に用いることができる。
【００３３】
図７に示すように、膨縮部材６５は、移動台６１が指保持ケース３０の最も奥側に移動した状態において、流体が供給されて膨むと、第１指挿入部２３に挿入された指１２及び移動台６１を上方に押し上げ、その本体部６５ａ及び延出部６５ｂで指１２及び移動台６１を上昇させるとともに挿入した指１２を上壁３７の内面（指挿入部の上面）に押圧して指１２の動きを抑制する。
【００３４】
続いて、指保持ケース３０に設けられる移動台６１等の各部の動作を、上壁３７や開口部３２と爪１１との位置関係を説明しながら図８、図９に基づいて詳細に説明する。
【００３５】
まず、図８において、移動台６１は、引張コイルばね６２の付勢力によって、その突出部６１ａが第１ガイド部４３ａの手前側の端部（第一配置部）に押し付けられており、第１指挿入部２３の手前側の開放部４２側（指挿入開始側）に位置した待機状態にある。この待機状態において、使用者が、描画する爪１１の爪先部１１ａを目視で確認しながら爪置き面６１ｄに載せ、引張コイルばね６２の付勢力に抗して指１２の先端で移動台６１を押すと、移動台６１は、突出部６１ａが第１ガイド部４３ａにガイドされながら、図８において矢印（１）で示すように、第１指挿入部２３の奥側に向けて水平方向に移動する。この際、爪１１は、上壁３７との間に隙間を有して移動台６１とともに移動する。
【００３６】
さらに、引張コイルばね６２の付勢力に抗して指１２の先端で移動台６１を奥側に押していくと、突出部６１ａが、傾斜した第２ガイド部４３ｂに移行する。この傾斜した第２ガイド部４３ｂを突出部６１ａが奥側に移動していく過程では、移動台６１は、上下方向ガイド部材６３より上方への移動がガイドされながら、突出部６１ａが第３ガイド部４３ｃに到達するまで、図８において矢印（２）で示すように、第２ガイド部４３ｂの傾斜に沿って斜め上方に移動する。なお、第２ガイド部４３ｂの傾斜角度、爪置き面６１ｄの高さ、上壁３７の高さ等は、突出部６１ａが第２ガイド部４３ｂの手前側の端部から第３ガイド部４３ｃの手前側の端部に到達するまでの間、爪１１が上壁３７には接触しないように設定されている。
【００３７】
さらに、引張コイルばね６２の付勢力に抗して指１２の先端で移動台６１を奥側に押していくと、移動台６１は、その突出部６１ａが第３ガイド部４３ｃに移行し、第３ガイド部４３ｃの奥側の端部（第二配置部（図３において符号Ｐ２で示す位置））に当たるまで、図８において矢印（３）で示すように、第３ガイド部４３ｃにガイドされながら水平方向に移動する。
【００３８】
次に、流体が流体給排部６６を通じて膨縮部材６５に供給され、膨縮部材６５が膨むと、指１２及び移動台６１が上昇するとともに、図８において矢印（４）で示すように、突出部６１ａが係止凹部４３ｄに下方から嵌合される。
【００３９】
これにより、図９に示すように、移動台６１が第１指挿入部２３の最も奥側（第三配置部）にて係止されて位置決めされる。その結果、平面視において開口部３２内に設定される描画領域（例えば、図６に示される四角形状の描画領域６７）に爪１１が位置決めされ、さらに、指１２が上壁３７に押圧されてその動きが抑制される。
【００４０】
また、膨縮部材６５が膨み、突出部６１ａが係止凹部４３ｄに係止された状態では、爪１１は、開口部３２及び上壁３７と同じ高さ位置、又は、開口部３２と上壁３７よりもやや低い位置に位置決めされる。このように指１２の動きが抑制されるとともに、爪１１の高さが位置決めされた状態において、開口部３２を通じてペンプロッター部１３又はインクジェット部１５により爪１１にネイルデザインが描画される。この際、突出部６１ａが係止凹部４３ｄに係止されているため、爪１１にネイルデザインが描画されている間、使用者が指１２で移動台６１を常時押していなくても、移動台６１が引張コイルばね６２の付勢力で手前側に戻る心配はない。
【００４１】
そして、爪１１に描画が完了し、流体が膨縮部材６５から排出されて膨縮部材６５が萎むと、移動台６１は、その自重で下降し、これにより突出部６１ａが係止凹部４３ｄから下方に外れる。突出部６１ａは、係止凹部４３ｄから下方に外れると、引張コイルばね６２の付勢力により、第３ガイド部４３ｃ、第２ガイド部４３ｂ、第１ガイド部４３ａに順次ガイドされながら、第１ガイド部４３ａの手前側の端部まで移動し、停止する。これにより、移動台６１及び爪１１が、第１指挿入部２３の開放部４２側（指挿入開始側）に戻る。このように移動台６１及び爪１１が開放部４２側に戻る過程では、突出部６１ａが、傾斜した第２ガイド部４３ｂにガイドされることで、爪１１は、上壁３７との間に隙間を有した状態で上壁３７を潜り抜けるようにして上壁３７の下側を移動する。
【００４２】
（実施形態の作用・効果）
以上、説明した実施形態の効果について述べる。
本実施形態によれば、使用者は、挿入口２３ａの近傍（図１参照）において、目視で確認しながら爪先部１１ａを移動台６１の爪置き面６１ｄに容易に載せることができる。また、爪１１を移動台６１に載せたまま、指挿入方向ガイド部４３に沿って奥側に移動させることで、描画領域６７まで確実に爪１１を移動させ、爪１１を描画領域６７に正確に位置決めすることができる。また、指挿入方向に位置決めされた状態において、爪１１をその高さ方向においても正確に位置決めすることができる。
【００４３】
尚、上述した実施形態においては、使用者が、爪先部を爪置き面に載せ、指の先端で移動台を押す動作について言及したが、本発明はこれに限定されるものではない。すなわち、使用者の爪が短く、爪置き面に爪が載せられないような場合でも、使用者は、指先端部を目視で確認しながら指の先端で移動台を押すことで、本発明の描画装置を使用することができ、上述した描画領域まで確実に爪を移動させ、爪を描画領域に正確に位置決めをすることができる、という効果を得ることができる。
【００４４】
また、ネイルデザインを爪１１に描画した後も、移動台６１に爪１１を載せたまま、ネイルデザインが描画された爪１１の描画部分を上壁３７に接触させることなく指１２を抜くことができるので、爪１１の描画部分が傷つくことを防止できる。さらに、描画装置１０を使用しないときは、移動台６１が指保持ケース３０の開放部４２を塞ぐため、挿入口２３ａから第１指挿入部２３へのゴミや埃等の侵入を防止することもできる。
【００４５】
以下に、この出願の願書に最初に添付した特許請求の範囲に記載した発明を付記する。付記に記載した請求項の項番は、この出願の願書に最初に添付した特許請求の範囲の通りである。
＜請求項１＞
挿入口から指が挿入される指挿入部と、
前記指挿入部内に配置され、前記挿入口側の第一配置部に向けて付勢されており、前記挿入口に挿入された指を前記付勢に抗して押すことにより、前記指を前記第一配置部から第二配置部に移動可能である移動台と、
を備えることを特徴とする描画装置。
＜請求項２＞
前記移動台の上面に前記指の爪を配置することを特徴とする請求項１に記載の描画装置。
＜請求項３＞
前記移動台とともに移動可能に設けられ、前記移動台の上下方向の移動をガイドする上下方向ガイド部材を備えることを特徴とする請求項１又は請求項２に記載の描画装置。
＜請求項４＞
前記指挿入部の下側に配置され、流体を供給することで挿入した指と前記移動台とを上方に押し上げ、供給した前記流体を排出すると前記押し上げを解除する膨縮部材を備え、
前記膨縮部材は、前記移動台が前記第二配置部に位置するときに前記流体が供給されると前記移動台を上昇させるとともに挿入した前記指を前記指挿入部の上面に押圧して前記指の動きを抑制することを特徴とする請求項１から請求項３のいずれか１項に記載の描画装置。
＜請求項５＞
前記移動台が前記第一配置部から前記第二配置部まで移動するときに、前記移動台の移動をガイドする指挿入方向ガイド部を備え、
前記指挿入方向ガイド部は、前記移動台が前記第一配置部に位置するときよりも前記第二配置部に位置するときの方が、前記移動台の位置が上方に位置するようにガイドすることを特徴とする請求項４に記載の描画装置。
＜請求項６＞
前記移動台は前記指挿入方向ガイド部に内側から嵌合される突出部を備え、
前記膨縮部材に前記流体が供給されることで、前記移動台を前記第二配置部から第三配置部に移動させ、前記突出部が前記指挿入方向ガイド部に設けられた係止凹部に係止されることを特徴とする請求項５に記載の描画装置。
＜請求項７＞
前記移動台が前記第一配置部に位置するとき、前記移動台が前記挿入口を塞いでいることを特徴とする請求項１から請求項６のいずれか１項に記載の描画装置。 
【符号の説明】
【００４６】
１０      描画装置
１１      爪
１１ａ    爪先部
１２      指
２３      第１指挿入部
２３ａ    挿入口
４３      指挿入方向ガイド部
４３ｄ    係止凹部
６１      移動台
６１ａ    突出部
６３      上下方向ガイド部材
６５      膨縮部材
【図１】
2020168432.tif 000003
【図２】
2020168432.tif 000004
【図３】
2020168432.tif 000005
【図４】
2020168432.tif 000006
【図５】
2020168432.tif 000007
【図６】
2020168432.tif 000008
【図７】
2020168432.tif 000009
【図８】
2020168432.tif 000010
【図９】
2020168432.tif 000011
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
挿入口から指が挿入される指挿入部と、
前記指挿入部を内部に形成する指保持ケースと、
前記指挿入部において、付勢部材によって前記挿入口側の第一配置部に配置され、当該付勢部材の付勢力に抗して前記指で押されることにより当該指の移動に伴って前記第一配置部から前記指保持ケースの奥側である第二配置部に移動可能に構成された移動台と、
前記移動台が前記第一配置部から前記第二配置部まで移動するときに、前記移動台の移動をガイドする挿入ガイド部と、
前記移動台に設けられ、前記挿入ガイド部に内側から嵌合される嵌合部と、
前記指挿入部の下側に配置され、流体を供給することで挿入した指と前記移動台とを上方に押し上げ、供給した前記流体を排出すると前記押し上げを解除する膨縮部材と、
を備え、
前記移動台が前記第一配置部から前記第二配置部に移動した際に、前記膨縮部材に前記流体が供給され、前記膨縮部材に前記流体が供給されることで当該移動台を当該第二配置部の上方に位置する第三配置部に上昇させ、前記嵌合部が前記挿入ガイド部に設けられた係止部に係止される、
ことを特徴とする描画装置。
【請求項２】
前記移動台の上面に前記指の爪を配置する、
ことを特徴とする請求項１に記載の描画装置。
【請求項３】
前記膨縮部材は、前記爪に対して描画が完了した際に前記流体を排出して前記押上げを解除し、
前記移動台は、前記押し上げを解除した際に前記第三配置部から前記第二配置部に下降する、
ことを特徴とする請求項２に記載の描画装置。
【請求項４】
前記嵌合部には前記移動台を付勢する前記付勢部材が設けられ、
前記移動台が前記第三配置部から前記第二配置部に下降した後に、前記付勢部材によって当該移動台が前記第二配置部から前記第一配置部に移動する、
ことを特徴とする請求項３に記載の描画装置。
【請求項５】
前記移動台とともに移動可能に設けられ、前記移動台の上下方向の移動をガイドする上下方向ガイド部材を備え、
前記上下方向ガイド部材は、前記第一配置部から第二配置部に移動する際に前記移動台を斜め上方にガイドする、
ことを特徴とする請求項１から請求項４のいずれか１項に記載の描画装置。
【請求項６】
前記上下方向ガイド部材は、横断面が円弧状の円弧状板部と、当該円弧状板部の左右両端から側方に延出される左右の側板部と、を備える、
ことを特徴とする請求項５に記載の描画装置。
【請求項７】
前記移動台は、爪の先部分である爪先部が載置される半円状の爪置き面が前記円弧状板部に接して設けられ、
前記爪置き面と前記指保持ケースの上面との間には隙間が設けられ、当該隙間は、前記移動台が前記第一配置部から前記第二配置部に移動するにしたがって小さくなる、
ことを特徴とする請求項６に記載の描画装置。
【請求項８】
前記挿入ガイド部は、前記移動台が前記第一配置部に位置するときよりも前記第二配置部に位置するときの方が、前記移動台の位置が上方に位置するようにガイドすることを特徴とする請求項１から請求項７のいずれか１項に記載の描画装置。
【請求項９】
前記膨縮部材は、前記移動台が前記第二配置部に位置するときに前記流体が供給されると前記移動台を上昇させるとともに挿入した前記指を前記指挿入部の上面に押圧して前記指の動きを抑制することを特徴とする請求項１から請求項８のいずれか１項に記載の描画装置。
【請求項１０】
前記移動台が前記第一配置部に位置するとき、前記移動台が前記挿入口を塞いでいることを特徴とする請求項１から請求項９のいずれか１項に記載の描画装置。
【手続補正２】
【補正対象書類名】明細書
【補正対象項目名】０００７
【補正方法】変更
【補正の内容】
【０００７】
本発明は、以下の構成によって把握される。
挿入口から指が挿入される指挿入部と、
前記指挿入部を内部に形成する指保持ケースと、
前記指挿入部において、付勢部材によって前記挿入口側の第一配置部に配置され、当該付勢部材の付勢力に抗して前記指で押されることにより当該指の移動に伴って前記第一配置部から前記指保持ケースの奥側である第二配置部に移動可能に構成された移動台と、
前記移動台が前記第一配置部から前記第二配置部まで移動するときに、前記移動台の移動をガイドする挿入ガイド部と、
前記移動台に設けられ、前記挿入ガイド部に内側から嵌合される嵌合部と、
前記指挿入部の下側に配置され、流体を供給することで挿入した指と前記移動台とを上方に押し上げ、供給した前記流体を排出すると前記押し上げを解除する膨縮部材と、
を備え、
前記移動台が前記第一配置部から前記第二配置部に移動した際に、前記膨縮部材に前記流体が供給され、前記膨縮部材に前記流体が供給されることで当該移動台を当該第二配置部の上方に位置する第三配置部に上昇させ、前記嵌合部が前記挿入ガイド部に設けられた係止部に係止される、
ことを特徴とする。